(57)【要約】【課題】  記録媒体に記録された複数の静止画像について、一覧表示の開始、表示内容の切換えを迅速に行う。【解決手段】  記録ディスク９において静止画撮ファイルに対応して記録される一覧表示用画像ファイルを、各静止画像ファイルに対応された目録情報の読み出し時に全て読み出して、ＤＲＡＭ２４に記憶させておく。【選択図】  図３
2007037182.tif 000002
【特許請求の範囲】
【請求項１】
複数の画像データ、当該画像データの一覧表示用画像データ、及び上記それぞれのデータの目録情報データを記憶する第１の記憶手段と、
上記第１の記憶手段に記憶された上記データを読み出す読み出し手段と、
記憶されたデータの読み出し処理が上記第１の記憶手段に比べて高速である第２の記憶手段と、
上記第１の記憶手段及び上記第２の記憶手段を制御する制御手段と、
上記第２の記憶手段に記憶された上記一覧表示用画像データを表示する表示手段とを備え、
上記制御手段は、上記読み出し手段により上記第１の記憶手段から読み出された上記目録情報データに基づいて、上記第１の記憶手段から上記一覧表示用画像データを一括して読み出して上記第２の記憶手段に記憶することを特徴とする撮像装置。
【請求項２】
上記目録情報データに基づいて上記第１の記憶手段に上記一覧表示用画像データが記憶されていることを判別する判別手段をさらに備え、
上記制御手段は、上記判別手段により上記一覧表示用画像データが記憶されていることが判別された場合に、上記読み出し手段により上記第１の記憶手段から読み出された上記目録情報データに基づいて、上記第１の記憶手段から上記一覧表示用画像データを一括して読み出して上記第２の記憶手段に記憶することを特徴とする請求項１記載の撮像装置。
【請求項３】
上記制御手段は、上記表示手段により上記一覧表示用画像を表示する際に、上記読み出し手段により上記第１の記憶手段から読み出された上記目録情報データに基づいて、上記第１の記憶手段から上記一覧表示用画像データを一括して読み出して上記第２の記憶手段に記憶することを特徴とする請求項１記載の撮像装置。
【請求項４】
上記一覧表示用画像データは、上記画像データを間引き処理したデータであることを特徴とする請求項１記載の撮像装置。
【請求項５】
上記第１の記憶手段に記憶された上記画像データ及び上記一覧表示用画像データは、ファイルとして管理されていることを特徴とする請求項１記載の撮像装置。
【請求項６】
第１の記憶手段に記憶された複数の画像データ、当該画像データの一覧表示用画像データ、及び上記それぞれの画像データの目録情報データを上記外部記憶装置より読み出し、
上記第１の記憶手段から読み出された上記目録情報データに基づいて、上記第１の記憶手段から上記一覧表示用画像データを一括して読み出し、記憶されたデータの読み出し処理が上記第１の記憶手段に比べて高速である第２の記憶手段に記憶する
ことを特徴とする一覧表示用画像データの記憶方法。
【請求項７】
上記第２の記憶手段に記憶された上記一覧表示用画像データは、一括して表示手段に表示することを特徴とする一覧表示用画像データの記憶方法。
【発明の詳細な説明】
【技術分野】
【０００１】
本発明は、固体撮像素子の如き撮像手段を用いて、静止画像を記録する撮像装置及び一覧表示用画像データの記憶方法に関する。
【背景技術】
【０００２】
従来、固体撮像素子（ＣＣＤ）の如き撮像手段を用いて、静止画像を記録する静止画撮像装置が提案されている。この静止画撮像装置には、撮像レンズが設けられており、この撮像レンズにより形成される像が固体撮像素子により撮像され、この固体撮像素子より静止画像データが出力される。この静止画像データは、記録部において、磁気ディスクや光磁気ディスクの如き記録媒体に記録される。このとき、この記録部を制御する制御部は、一つの静止画像に対応した静止画像データを静止画像ファイルとして記録媒体に記録させるとともに、この静止画像データを間引き処理した一覧表示用画像データを一覧表示用画像ファイルとして該記録媒体に記録させる。この一覧表示用画像ファイルとして記録される信号は、静止画像ファイルとして記録される信号に対して、１／３６乃至１／８１に間引き処理された信号であり、静止画像ファイルにしたがって表示される画像の１／６乃至１／９の面積の画像を表示するための信号となっている。
【０００３】
この静止画撮像装置は、記録媒体より静止画像データを読み出すことにより、この静止画像データに応じた画像を表示装置に表示する。この表示装置としては、陰極線管（ＣＲＴ）や液晶表示装置（ＬＣＤ）が用いられる。さらに、この静止画撮像装置は、記録媒体より複数の一覧表示用画像データを読み出すことにより、これら一覧表示用画像データに応じた複数の画像を表示装置において並列的に配列して一覧表示させる機能を備えている。このような一覧表示においては、表示装置において、６枚乃至９枚の静止画像が配列されて表示される。
【発明の開示】
【発明が解決しようとする課題】
【０００４】
上述したような静止画撮像装置は、一覧表示を行う場合に、この一覧表示を開始するに先立って、記録媒体から各一覧表示用画像データの読み出しを行う。そして、一覧表示の内容の切換え、例えば、第１乃至第９の画像について一覧表示していた状態から第２乃至第１０の画像について一覧表示する状態に切り換える場合には、再び、記録媒体から、新たな一覧表示用画像データ、例えば第１０の画像についての一覧表示用画像データの読み出しを行う。
【０００５】
このように、従来の静止画撮像装置は、一覧表示の開始、切換えに伴って、その都度記録媒体から一覧表示用画像データの読み出しを行っているので、一覧表示の開始、切換えが完了するのに長時間を要する。
【０００６】
そこで、本発明は、上述の実情に鑑みて提案されるものであって、記録媒体に記録された複数の静止画像について、一覧表示の開始、表示内容の切換えを迅速に行うことを可能とする撮像装置、さらに、一覧表示用画像データの記憶方法を提供しようとするものである。
【課題を解決するための手段】
【０００７】
本発明に係る撮像装置は、複数の画像データ、当該画像データの一覧表示用画像データ、及び上記それぞれのデータの目録情報データを記憶する第１の記憶手段と、上記第１の記憶手段に記憶された上記データを読み出す読み出し手段と、記憶されたデータの読み出し処理が上記第１の記憶手段に比べて高速である第２の記憶手段と、上記第１の記憶手段及び上記第２の記憶手段を制御する制御手段と、上記第２の記憶手段に記憶された上記一覧表示用画像データを表示する表示手段とを備える。そして、上記制御手段は、上記読み出し手段により上記第１の記憶手段から読み出された上記目録情報データに基づいて、上記第１の記憶手段から上記一覧表示用画像データを一括して読み出して上記第２の記憶手段に記憶するようにしたものである。
【０００８】
本発明に係る撮像装置は、上記目録情報に基づいて上記第１の記憶手段に上記一覧表示用画像データが記憶されていることを判別する判別手段をさらに備え、上記制御手段は、上記判別手段により上記一覧表示用画像データが記憶されていることが判別された場合に、上記読み出し手段により上記第１の記憶手段から読み出された上記目録情報データに基づいて、上記第１の記憶手段から上記一覧表示用画像データを一括して読み出して上記第２の記憶手段に記憶する。
【０００９】
さらに、上記制御手段は、上記表示手段により上記一覧表示用画像を表示する際に、上記読み出し手段により上記第１の記憶手段から読み出された上記目録情報データに基づいて、上記第１の記憶手段から上記一覧表示用画像データを一括して読み出して上記第２の記憶手段に記憶する。
【００１０】
また、本発明は、一覧表示用画像データの記憶方法であって、第１の記憶手段に記憶された複数の画像データ、当該画像データの一覧表示用画像データ、及び上記それぞれの画像データの目録情報データを上記外部記憶装置より読み出し、上記第１の記憶手段から読み出された上記目録情報データに基づいて、上記第１の記憶手段から上記一覧表示用画像データを一括して読み出し、記憶されたデータの読み出し処理が上記第１の記憶手段に比べて高速である第２の記憶手段に記憶する。ここで、上記第２の記憶手段に記憶された上記一覧表示用画像データは、一括して表示部に表示される。
【発明の効果】
【００１１】
本発明は、第１の記憶手段に記憶された複数の画像データ、当該画像データの一覧表示用画像データ、及び上記それぞれの画像データの目録情報データを第１の記憶手段により読み出し、この読み出された一覧表示用画像データを記憶し、第１の記憶手段から読み出された目録情報データに基づいて、第１の記憶装置から一覧表示用画像データを一括して読み出して第２の記憶手段に記憶するようにしている。
【００１２】
したがって、本発明においては、一覧表示の開始、表示内容の切換えを行うときには、第２の記憶手段に記憶された一覧表示用画像データに基づいて行うことができ、第１の記憶手段より一覧表示用画像データの読み代を行う必要をなくすることができる。
【発明を実施するための最良の形態】
【００１３】
以下、本発明を静止画撮像装置に適用した一実施の形態を図面を参照しながら説明する。
【００１４】
本発明が適用された静止画撮像装置は、図１に示すように、筐体２を有し、筐体２の前面側に、撮影釦３、撮像レンズ４、閃光照明装置の発光部５などを配設している。また、筐体２の背面側には、図２に示すように、表示手段となる表示部１１、操作部１６などが配設されている。さらに、筐体２の側面部には、蝶番部７ａを介して筐体２に対して回動可能に取り付けられた蓋体７によって開閉可能となされた記録媒体挿入口１４が配設されている。この記録媒体挿入口１４からは、記録媒体となる磁気ディスク等の記録ディスク９を収納したディスクカートリッジ８が挿入される。このディスクカートリッジ８は、筐体２内の記録媒体装着部に装着される。この蓋体７は、被係合部１３，１３を有し、この被係合部１３，１３に筐体２に配設された係合爪１２，１２を係合されることによって、閉蓋状態に保持される。この係合爪１２，１２は、筐体２の後面部に設けられたスライダノブ１５のスライド操作によって、被係合部１３，１３に対する係合を解除する方向に移動操作される。すなわち、蓋体７は、スライダノブ１５をスライド操作することにより、開蓋することが可能な状態となされる。
【００１５】
ディスクカートリッジ８は、磁気ディスクの如き記録ディスク９が回転可能に薄い筐体状のカートリッジに収納されて構成されている。このカートリッジの一方の主面部には、記録ディスク９の中心部に取り付けられたハブ部９ａを外方側に臨ませるためのチャッキング用開口部が設けられている。また、このカートリッジの両主面部には、記録ディスク９の信号記録面の一部を外方側に臨ませるための記録再生用開口部１０ａ，１０ａが形成されている。これら記録再生用開口部１０ａ，１０ａは、カートリッジにスライド可能に取り付けられたシャッタ板１０により開閉可能となされている。
【００１６】
このディスクカートリッジ８としては、磁気ディスクに限定されず、光磁気ディスク、いわゆる相変化型の記録ディスクなど、情報信号の書き込み及び読み出しが可能である種々の方式の記録ディスクをカートリッジに収納して構成されたものが用いられる。なお、この実施の形態においては、ディスクカートリッジ８として、磁気ディスクを用いた場合について説明する。
【００１７】
筐体２内においては、図３に示すように、撮像レンズ４により形成される被写体の像は、撮像手段となる図３中ＣＣＤで示す固体撮像素子２１により撮像される。この固体撮像素子２１より出力される撮像信号は、図３中Ｓ／Ｈ−Ａ／Ｄで示すサンプルホールド−アナログデジタルコンバータ２２により１０ビットのデジタル信号に変換されて、カメラ信号処理回路２３に送られる。カメラ信号処理回路２３は、サンプルホールド−アナログデジタルコンバータ２２より送られたデジタル信号を信号処理し、８ビットの輝度信号Ｙと４ビットの色差信号Ｃに変換して、ＤＲＡＭコントローラ２５に送る。このＤＲＡＭコントローラ２５に送られた輝度信号Ｙ及び色差信号Ｃは、そのままパネル信号処理回路２６に送られるとともに、記憶手段となるダイナミックランダムアクセスメモリ（以下、ＤＲＡＭという。）２４に記録される形態のデータに変換されて、ＤＲＡＭ２４に送られ、また、記録手段となる図３中ＦＤＣで示すディスクコントローラ２９に送られる。
【００１８】
パネル信号処理回路は、送られた輝度信号Ｙ及び色差信号Ｃに基づいて、３原色信号Ｒ，Ｇ，Ｂを生成して、表示部１１に送る。この表示部１１としては、液晶表示パネル（ＬＣＤパネル）の他、陰極線管（ＣＲＴ）も用いられる。このように、カメラ信号処理回路２３より出力されている輝度信号Ｙ及び色差信号Ｃに基づく画像が表示部１１に表示されている状態においては、現に撮像レンズ４が撮像している被写体の像が表示部１１に表示されていることになり、この表示部１１は、ファインダの役割を果たしていることになる。
【００１９】
そして、撮影釦３は、操作入力回路２７に接続されている。この操作入力回路２７は、撮影釦３が押圧操作されると、制御部となるマイコン（マイクロコンピュータ）２８ａに対して、撮影釦３が押圧操作されたことを示す操作信号を送る。また、操作部１６も、操作入力回路２７に接続されている。この操作入力回路２７は、操作部１６を構成するスイッチが操作されると、マイコン２８ａに対して、操作部１６が操作されたことを示す操作信号を送る。このマイコン２８ａとしては、例えば、高速処理が可能なＲＩＳＣ（Reduced Instruction Set Computer：縮小命令セットコンピュータ）タイプのものが用いられ、各回路ブロックを制御するためのソフトウェアプログラムが格納された図３中ＲＯＭで示すリードオンリーメモリ２８を備えている。このマイコン２８ａは、操作入力回路２７からの操作信号に基づいて、リードオンリーメモリ２８に記憶されたソフトウェアプログラムに従った動作を実行する。
【００２０】
すなわち、マイコン２８ａは、リードオンリーメモリ２８に記憶されたソフトウェアプログラムに従い、ＤＲＡＭダイナミックランダムアクセスメモリ２４及びディスクコントローラ２９を制御する。なお、これらマイコン２８ａ、ＤＲＡＭ２４、ディスクコントローラ２９及びＤＲＡＭコントローラ２５は、共通のデータバスによって、互いに接続されている。ＤＲＡＭ２４は、例えば、４Ｍバイトの記憶容量を有するメモリチップ２個で構成されている。ディスクコントローラ２９は、記録媒体装着部である図３中ＦＤＤで示すディスクドライブ３０に対して制御信号を送ってこのディスクドライブ３０を制御するとともに、このディスクドライブ３０との間で、読み出しデータＲＤＡＴＡ及び書き込みデータＷＤＡＴＡの授受を行う。読み出しデータＲＤＡＴＡは、記録ディスク９より読み出されたデータである。書き込みデータＷＤＡＴＡは、記録ディスク９に書き込まれるデータである。
【００２１】
ディスクドライブ３０は、記録媒体挿入口１４を介して挿入されたディスクカートリッジ８が装着されると、このディスクカートリッジ８の記録ディスク９のハブ部を保持してこの記録ディスク９を回転操作するとともに、記録再生用開口部１０ａ，１０ａを介して、磁気ヘッドの如きピックアップ装置によって、この記録ディスク９に対する書き込みデータＷＤＡＴＡの書き込み及び読み出しデータＲＤＡＴＡの読み出しを行う。
【００２２】
この静止画撮像装置１において、撮像釦３が押圧操作されると、撮像動作が実行される。すなわち、撮像釦３が押圧操作されると、カメラ信号処理回路２３より出力されている輝度信号Ｙ及び色差信号Ｃに対応するデータがＤＲＡＭ２４及びディスクコントローラ２９に送られる。ＤＲＡＭ２４においては、送られたデータは、ＤＲＡＭコントローラ２５及びマイコン２８ａから送られるアドレスデータに基づき、所定のアドレス位置において記憶される。また、ディスクコントローラ２９においては、送られたデータは、ディスクドライブ３０に送られて、記録ディスク９に記録される。
【００２３】
すなわち、マイコン２８ａは、被写体の撮像時において、輝度信号Ｙと色差信号ＣをＤＲＡＭコントローラ２５からＤＲＡＭ２４の所定領域に格納させ、格納された輝度信号Ｙと色差信号ＣをＪＰＥＧ（JointPhotographic coding Experts Group）方式でデータ圧縮する処理を行う。また、マイコン２８ａは、ＪＰＥＧ方式で圧縮した画像についてのデータをＤＲＡＭ２４の輝度信号Ｙと色差信号Ｃを格納した領域とは異なる領域にＪＰＥＧストリームデータとして書き込む処理を行う。
【００２４】
また、マイコン２８ａは、ＪＰＥＧストリームデータをＤＲＡＭ２４から読み出して、このＪＰＥＧストリームデータをいわゆるＰＣ／ＡＴ互換型のパーソナルコンピュータに対応するＭＳ−ＤＯＳ（Microsoft Disc Operating System：マイクロソフト社の登録商標）フォーマット形式に変換してディスクコントローラ２９に供給する処理を行う。そして、マイコン２８ａは、このＭＳ−ＤＯＳフォーマット形式に変換されたデータをディスクドライブ３０に装着されたディスクカートリッジ８の記録ディスク９に静止画像データとして書き込むように、ディスクコントローラ２９を制御する。
【００２５】
さらに、この静止画撮像装置１においては、マイコン２８ａは、一つの静止画像に対応した静止画像データを一つの静止画像ファイルとして記録ディスク９に記録するに伴って、この静止画像データを間引き処理した一覧表示用画像データを一つの一覧表示用画像ファイルとして記録ディスク９及びＤＲＡＭ２４に記録する。すなわち、この静止画撮像装置１においては、撮像釦３を押圧操作することにより被写体を撮像すると、ディスクドライブ３０に装着されたディスクカートリッジ８内の記録ディスク９には、被写体についての静止画像ファイル及びこの静止画像ファイルについてのインデックスとなる一覧表示用画像ファイルが、それぞれ、例えば「．ＪＰＧ」及び「．４１１」の拡張子を持ったファイル形式で記録される。この一覧表示用画像ファイルとして記録される信号は、静止画像ファイルとして記録される信号に対して、１／３６乃至１／８１に間引き処理された信号であり、静止画像ファイルにしたがって表示される画像の１／６乃至１／９の面積の画像を表示するための信号となっている。
【００２６】
この一覧表示用画像ファイルは、撮像のたびにＤＲＡＭ２４に格納されるとともに、既に静止画像ファイル及び一覧表示用画像ファイルが記録されたディスクカートリッジ８がディスクドライブ３０に装着されたときには、このディスクカートリッジ８の記録ディスク９より読み出されてＤＲＡＭ２４に格納される。すなわち、この静止画撮像装置１においては、ディスクドライブ３０にディスクカートリッジ８が装着され、いわゆるＦＡＴ情報の如き、このディスクカートリッジ８の記録ディスク９に記録された静止画像ファイルについての目録情報を読み出してＤＲＡＭ２４に格納するときに、この記録ディスク９に記録された全ての一覧画像ファイルを一括して読み出してＤＲＡＭ２４に格納する。
【００２７】
すなわち、マイコン２８ａは、図４のフローチャートに示すように、ステップｓｔ１において、記録媒体である記録ディスク９について画像データの読み出しを開始すると、ステップｓｔ２においてＦＡＴ部の目録情報の読み込みを行い、ステップｓｔ３に進む。このステップｓｔ３では、記録ディスク９に読み込むべき一覧表示用画像ファイルが記録されているかを判別する。記録ディスク９に一覧表示用画像ファイルが記録されていれば、ステップｓｔ４に進み、記録ディスク９に一覧表示用画像ファイルが記録されていなければ、ステップｓｔ７に進んで処理を終了する。ステップｓｔ４では、一覧表示用画像ファイルを一括して読み出し、ステップｓｔ５に進む。ステップｓｔ５では、記録ディスク９より読み出された一覧表示用画像ファイルをＤＲＡＭ２４に格納し、ステップｓｔ６に進む。ステップｓｔ６では、記録ディスク９に記録された一覧表示用画像ファイルの全てを読み出したか否かを判別し、全ての一覧表示用画像ファイルを読み出していればステップｓｔ７に進んで処理を終了し、全ての一覧表示用画像ファイルの読み出しをしていなければステップｓｔ４に戻る。
【００２８】
そして、この静止画撮像装置１においては、ＤＲＡＭ２４よりＪＰＥＧストリームデータを読み出すことにより、あるいは、ディスクドライブ３０に装着されたディスクカートリッジ８の記録ディスク９より静止画像ファイルを読み出すことにより、これら静止画像データに応じた画像を表示部１１において表示させることができる。この場合においては、表示部１１には、図５に示すように、全面に亘って一つの静止画像１７ａが表示される。
【００２９】
さらに、この静止画撮像装置１においては、ＤＲＡＭ２４より複数の一覧表示用画像ファイルを読み出すことにより、これら一覧表示用画像データに応じた複数の画像を表示部１１において並列的に配列させて一覧表示させることができる。このような一覧表示においては、表示部１１においては、図６に示すように、６枚の静止画像１７ａ，１７ｂ，１７ｃ，１７ｄ，１７ｅ，１７ｆが、あるいは、図７に示すように、９枚の静止画像１７ａ，１７ｂ，１７ｃ，１７ｄ，１７ｅ，１７ｆ，１７ｇ，１７ｈ，１７ｉが配列されて表示される。このとき、一覧表示用画像ファイルの読み出しは、記録ディスク９からではなく、ＤＲＡＭ２４から行うので、一覧表示の開始を迅速に行うことができる。
【００３０】
また、この静止画撮像装置１においては、一覧表示する静止画像は、記録ディスク９に記録された画像のうちより任意に選択することができ、また、表示部１１における静止画像の並べ方を変更することもできる。このような一覧表示の表示状態の切換えは、操作部１６を操作することにより行うことができる。このとき、新たな一覧表示用画像ファイルの読み出しは、記録ディスク９からではなく、ＤＲＡＭ２４から行うので、一覧表示の表示状態の変更を迅速に行うことができる。
【００３１】
さらに、この静止画撮像装置１においては、記録ディスク９に記録された静止画像ファイル及び一覧表示用画像ファイルのうちから不要なものを消去するなどの種々の編集操作ができるようになっている。
【図面の簡単な説明】
【００３２】
【図１】本発明が適用された静止画撮像装置の前面側の外観を示す斜視図である。
【図２】上記静止画撮像装置の背面側の外観を示す斜視図である。
【図３】上記静止画撮像装置の構成を示すブロック図である。
【図４】上記静止画撮像装置の制御部の動作を示すフローチャートである。
【図５】上記静止画撮像装置において静止画像が表示される状態の表示部の構成を示す正面図である。
【図６】上記静止画撮像装置において６分割の一覧表示が行われる状態の表示部の構成を示す正面図である。
【図７】上記静止画撮像装置において９分割の一覧表示が行われる状態の表示部の構成を示す正面図である。
【符号の説明】
【００３３】
１  静止画撮像装置、  ４  撮像レンズ、  ９  記録ディスク、  １１  表示部、  ２１  固体撮像素子、  ２４  ダイナミックランダムアクセスメモリ、  ２８ａ  マイコン、  ３０  ディスクドライブ
【図１】
2007037182.tif 000003
【図２】
2007037182.tif 000004
【図３】
2007037182.tif 000005
【図４】
2007037182.tif 000006
【図５】
2007037182.tif 000007
【図６】
2007037182.tif 000008
【図７】
2007037182.tif 000009